(57)【要約】      （修正有）【課題】液晶モニタ等の薄型モニタに簡単に取り付けることができ、場所を取らずに周辺機器を設置できる付属機器ホルダを提供する。【解決手段】本付属機器ホルダでは、端部に直角折り曲げ部２を有し、上部平面部３に前記折り曲げ端部に直交する複数の長穴を配置した天板部材１と、断面コの字型に形成し少なくとも片側端面上に前記複数の長穴間隔に対応した丸穴を具備した保持部材４と、前記長穴及び前記丸穴に嵌合可能で前記天板部材及び前記保持部材を連結するための複数の連結部材とからなることを特徴とする。【選択図】図１
0003161630.tif 000002
【実用新案登録請求の範囲】
【請求項１】
端部に直角折り曲げ部を有し、上部平面部に前記折り曲げ端部に直交する複数の長穴を配置した天板部材と、断面コの字型に形成し少なくとも片側端面上に前記複数の長穴間隔に対応した丸穴を具備した保持部材と、前記長穴及び前記丸穴に嵌合可能で前記天板部材及び前記保持部材を連結するための複数の連結部材とからなることを特徴とする付属機器ホルダ。
【請求項２】
前記長穴及び前記丸穴が２箇所であることを特徴とする請求項１記載の付属機器ホルダ。
【請求項３】
前記丸穴内面に雌ネジを切ってあり、前記連結部材が雄ネジであることを特徴とする請求項１または２記載の付属機器ホルダ。
【請求項４】
前記保持部材に、付属機器本体を固定するための固定手段が形成されていることを特徴とする請求項１乃至３のいずれかに記載の付属機器ホルダ。
【請求項５】
前記天板部材及び前記保持部材が金属製であることを特徴とする請求項１乃至４のいずれかに記載の付属機器ホルダ。
【考案の詳細な説明】
【技術分野】
【０００１】
本考案は、パーソナルコンピュータのモニタに付属機器を簡便に取り付けることのできるホルダに関する。
【背景技術】
【０００２】
現在では、非常に多くの人がパーソナルコンピュータを使用しており、またその用途も様々である。従って、用途に応じてパーソナルコンピュータの周辺に付属機器を設置することが必要になる場合も多くなっているが、モニタの周辺に付属機器を設置すると作業スペースが限定されてしまうという問題がある。
【０００３】
このような問題を解決するための１つの方法としては、パーソナルコンピュータのモニタに付属機器を取り付けることがある。例えば、特許文献１においては、モニタ装置を囲むように形成された壁部と、該壁部に設けられ、ノート型パーソナルコンピュータ又は周辺機器を保持する保持部とからなる保持装置が提案されている。この文献は平成１０年に出願されており、当時ではＣＲＴ型のモニタが主流であった。このため、この技術はモニタの奥行き方向に壁部を形成して周辺機器等を取り付けるように設計されている。
【０００４】
しかしながら現在では、液晶モニタ等の薄型モニタが主流であり、このような奥行き方向に壁部を形成する保持装置ではかえってスペースの無駄になってしまう。
【先行技術文献】
【特許文献】
【０００５】
【特許文献１】特開２０００−１８７５３１号公報
【考案の概要】
【考案が解決しようとする課題】
【０００６】
本考案は上述の問題点に鑑みてなされたものであり、液晶モニタ等の薄型モニタに簡単に取り付けることができ、場所を取らずに周辺機器を設置できる付属機器ホルダを提供することを課題とする。
【課題を解決するための手段】
【０００７】
上記の課題を解決するため本考案による付属機器ホルダでは、端部に直角折り曲げ部を有し、上部平面部に前記折り曲げ端部に直交する複数の長穴を配置した天板部材と、断面コの字型に形成し少なくとも片側端面上に前記複数の長穴間隔に対応した丸穴を具備した保持部材と、前記長穴及び前記丸穴に嵌合可能で前記天板部材及び前記保持部材を連結するための複数の連結部材とからなることを特徴とする。
【０００８】
前記長穴及び前記丸穴が２箇所であることが好ましく、また前記丸穴内面に雌ネジを切ってあり、前記連結部材が雄ネジであることがより好適である。
【０００９】
さらに、前記保持部材に、付属機器本体を固定するための固定手段が形成されていることが望ましい。
【００１０】
また、前記天板部材及び前記保持部材が金属製であることが好適である。
【考案の効果】
【００１１】
本考案による付属機器ホルダによれば、天板部材の直角折り曲げ部と天板部に連結した保持部材の壁部とによりパーソナルコンピュータのモニタを挟み込む形でモニタ上部裏側に付属装置を取り付けることができる。モニタの奥行きが異なる場合は、保持部材の天板部材長穴連結部の位置を変更することにより容易に対処することができる。また、天板部材と保持部材を金属で構成することにより、薄くて丈夫なホルダを提供することが可能となる。
【図面の簡単な説明】
【００１２】
【図１】本考案の付属機器ホルダの実施例を示す正面図である。
【図２】図１に示した実施例の組立方法を示す組み立て図である。
【考案を実施するための形態】
【００１３】
以下、図面に基づいて本考案の好適な実施例について説明する。図１は、本考案による付属機器ホルダの実施例の正面図を示す。天板部材１の片側端部においては直角折り曲げ部２が形成されており、また上部平面部３には複数の長穴１１（図２参照）が設けられていて、断面コの字型保持部材４と連結されている。この連結は保持部材４の上部端面６上に形成された丸穴９（図２参照）と、天板部材１の上部平面部３上に平行に形成された長穴１１とをネジ（図示してない）等により締め付けることにより行う。
【００１４】
また、保持部材４の下部には壁部５に対して直角に折り曲げられた下部端面７が形成されていて、付属機器本体１０をこの下部端面上に載置し固定手段８により保持部材４に固定する。
【００１５】
天板部材１及び保持部材４の材質については特に制限されるものではないが、強度及び耐久性を考えると、アルミニウム等の金属が好適である。
【００１６】
図２には、図１に示した実施例のホルダの組み立て図を示す。まず、付属機器本体１０を保持部材４に組み込んで固定手段８により固定する。固定手段としては一番簡易的なものとしてネジが考えられるが、壁部５の両側に壁部表面から垂直に立ち上がる突起部を形成し、この突起部にネジ穴を設けて付属機器本体１０を両側から締め付ける方法をとることもできる。次に、付属機器本体１０を固定した保持部材４を天板部材１の長穴１１と位置合わせして、ネジ等で仮固定する。
【００１７】
実際に本考案によるホルダをモニタに取り付ける際は、天板部材１が上に来るようにしてモニタの上端に引っかけ、モニタの奥行きに合わせて保持部材４の位置を調整する。一旦調整すれば、ホルダの取り付け取り外しは極めて簡単となる。
【産業上の利用可能性】
【００１８】
本考案による付属機器ホルダでは、天板部材の直角折り曲げ部と天板部に連結した保持部材の壁部とによりパーソナルコンピュータのモニタを挟み込む形でモニタ上部裏側に付属装置を取り付けることができる。モニタの奥行きが異なる場合は、保持部材の天板部材長穴連結部の位置を変更することにより容易に対処することができる。また、天板部材と保持部材を金属で構成することにより、薄くて丈夫なホルダを提供することが可能となる。従って、安価で簡便なホルダを提供することができる。
【符号の説明】
【００１９】
１  天板部材
２  直角折り曲げ部
３  上部平面部
４  保持部材
５  壁部
６  上部端面
７  下部端面
８  固定手段
９  丸穴
１０  付属機器本体
１１  長穴
【図１】
0003161630.tif 000003
【図２】
0003161630.tif 000004